(57)【要約】【課題】  物質同士の直接接触の確率を高めることにより両物質間の熱交換を促進させ、熱交換の効率をより高める技術を提供すること。【解決手段】  第１の物質と第２の物質とを用意する第１の工程と、前記第１の物質と前記第２の物質とを直接接触させる第２の工程と、互いに直接接触した前記第１の物質と前記第２の物質とを移動させる第３の工程と、前記第１の物質及び前記第２の物質のうち少なくとも一方の移動方向を変更させる第４の工程と、を有することを特徴とする。【選択図】  図１
2013061130.tif 000002
【特許請求の範囲】
【請求項１】
物質同士の直接接触による熱交換の効率を高める方法であって、
第１の物質と第２の物質とを用意する第１の工程と、
前記第１の物質と前記第２の物質とを直接接触させる第２の工程と、
互いに直接接触した前記第１の物質と前記第２の物質とを移動させる第３の工程と、
前記第１の物質及び前記第２の物質のうち少なくとも一方の移動方向を変更させる第４の工程と、を有することを特徴とする方法。
【請求項２】
前記第２の工程は、第１の容器内に送入された前記第１の物質と前記第２の物質とを前記第１の容器内で混合することにより直接接触させる工程であり、前記第３の工程は、前記第１の容器内で互いに混合した前記第１の物質と前記第２の物質とを前記第１の容器内から送出させ、第２の容器内に送入させる工程であり、前記第４の工程は、前記第２の容器内に送入された前記第１の物質及び前記第２の物質のうち少なくとも一方の移動方向を前記第２の容器内で変更させる工程であることを特徴とする請求項１に記載の方法。
【請求項３】
前記第４の工程は、前記第１の物質及び前記第２の物質のうち少なくとも一方の移動方向を障害物により変更させる工程である、ことを特徴とする請求項１又は２に記載の方法。
【請求項４】
前記障害物は回転する部材を備えており、前記部材の回転軸は、前記第１の物質及び前記第２の物質のうち少なくとも一方の移動方向を前記障害物により変更させる前の移動方向と非垂直であることを特徴とする請求項３に記載の方法。
【請求項５】
前記第１の物質及び前記第２の物質のいずれか一方が蓄熱性物質を生成し得る液体であり、他方が熱媒液体であることを特徴とする請求項１乃至４のいずれかに記載の方法。
【発明の詳細な説明】
【技術分野】
【０００１】
本発明は、物質同士の直接接触による熱交換の効率を高める技術に関し、より詳しくは、物質同士の直接接触の確率を高めることにより両物質間の熱交換を促進させ、熱交換の効率をより高める技術に関する。
【背景技術】
【０００２】
物質間の熱交換のうち物質同士の直接接触による熱交換は、例えば当該物質間の熱交換を熱交換器を介して行う場合に比べて熱交換効率が高いことが知られている。このような直接接触熱交換の応用例としては、高温排気ガスと蓄熱部材との熱交換による蓄熱（特許文献１）、高温粒子と気体との熱交換による排熱回収（特許文献２）、水と水不溶性液体との熱交換による冷却（特許文献３）、排気ガスと噴霧液体との熱交換による冷却（特許文献４）、熱媒液体と水との熱交換による製氷（特許文献５）、熱媒物質と水以外の相変化物質との熱交換による蓄熱（特許文献６）、気体炭化水素燃料とプロセスガス流との熱交換による加熱（特許文献７）、生活ごみと流動床との熱交換による乾燥（特許文献８）など、多数が知られている。
【先行技術文献】
【特許文献】
【０００３】
【特許文献１】特開平１０−２０５７４３号公報
【特許文献２】特開平２−３０３５３６号公報
【特許文献３】特表２００７−５１１０６０号公報
【特許文献４】特表平９−５１０２９５号公報
【特許文献５】特開平４−３１３６５８号公報
【特許文献６】特開２００８−２０２９３２号公報
【特許文献７】特表平９−５０２６９４号公報
【特許文献８】特開２００１−２８０６２３号公報
【発明の概要】
【発明が解決しようとする課題】
【０００４】
ここで、物質同士の直接接触による熱交換の効率は、高ければ高いほど好ましい。しかし、物質同士を直接接触させても、接触時間が短かかったり、接触頻度が小さければ、両物質間で十分な熱交換が行われず、熱交換効率が高まらない。
【０００５】
本発明は、この点に鑑みてなされたものであり、物質同士の直接接触による熱交換の効率を高める技術、より詳しくは、物質同士の直接接触の確率を高めることにより両物質間の熱交換を促進させ、熱交換の効率をより高める技術を提供することを目的とする。
【課題を解決するための手段】
【０００６】
上記目的を達成するための、本発明の第１の形態に係る物質同士の直接接触による熱交換の効率を高める方法は、第１の物質と第２の物質とを用意する第１の工程と、前記第１の物質と前記第２の物質とを直接接触させる第２の工程と、互いに直接接触した前記第１の物質と前記第２の物質とを移動させる第３の工程と、前記第１の物質及び前記第２の物質のうち少なくとも一方の移動方向を変更させる第４の工程とを有することを特徴とする。
【０００７】
本発明の第２の形態に係る物質同士の直接接触による熱交換の効率を高める方法は、第１の形態に係る方法であって、前記第２の工程は、第１の容器内に送入された前記第１の物質と前記第２の物質とを前記第１の容器内で混合することにより直接接触させる工程であり、前記第３の工程は、前記第１の容器内で互いに混合した前記第１の物質と前記第２の物質とを前記第１の容器内から送出させ、第２の容器内に送入させる工程であり、前記第４の工程は、前記第２の容器内に送入された前記第１の物質及び前記第２の物質のうち少なくとも一方の移動方向を前記第２の容器内で変更させる工程であることを特徴とする。
【０００８】
本発明の第３の形態に係る物質同士の直接接触による熱交換の効率を高める方法は、第１又は第２の形態に係る方法であって、前記第４の工程が、前記第１の物質及び前記第２の物質のうち少なくとも一方の移動方向を障害物により変更させる工程であることを特徴とする。
【０００９】
本発明の第４の形態に係る物質同士の直接接触による熱交換の効率を高める方法は、第３の形態に係る方法であって、前記障害物が回転する部材を備えており、前記部材の回転軸が、前記第１の物質及び前記第２の物質のうち少なくとも一方の移動方向を前記障害物により変更させる前の移動方向と非垂直であることを特徴とする。
【００１０】
本発明の第５の形態に係る物質同士の直接接触による熱交換の効率を高める方法は、第１乃至第４のいずれかの形態に係る方法であって、前記第１の液体及び前記第２の液体のいずれか一方が蓄熱性物質を生成し得る液体であり、他方が熱媒液体であることを特徴とする。
【００１１】
なお、本発明において、次に掲げる用語の意味又は解釈は以下のとおりとする。
【００１２】
（１）第１の物質や第２の物質における「物質」とは、互いに直接接触したときに熱交換を起こす性質を有する物質の意味であり、その限りにおいて、当該「物質」にはあらゆる物質（気体、液体、固体等）が含まれる。
【００１３】
（２）第１の物質及び第２の物質のうち少なくとも一方の移動方向を変更させる「障害物」には特に制限はなく、物質の移動方向を変更する作用をする物体である限り、当該「障害物」にはあらゆる物体が含まれる。
【００１４】
（３）「蓄熱性物質」とは、熱エネルギーを蓄積する性質を有する物質をいい、氷、包接化合物（包接水和物を含む）、パラフィンなどがその典型例である。本発明において好ましい蓄熱性物質は、熱媒液体と互いに化学反応を全く又は実質的に生じず、且つ、熱媒液体と互いに全く又は実質的に溶解し合わないものである。
【００１５】
「蓄熱性物質を生成し得る液体」の典型例は、冷却されて氷を生成する水、冷却されて包接水和物（包接格子が不完全な準包接水和物を含む）を生成する包接水和物生成薬剤の水溶液である。温度変化に伴い相変化を起こし蓄熱性物質に変わる相変化物質であって当該温度変化前は液体状態にあるものについては、その液体状態にある相変化物質がこれに該当する。
【００１６】
（４）「熱媒液体」とは、蓄熱性物質を生成し得る液体と化学反応を全く又は実質的に生じず、当該蓄熱性物質を生成し得る液体に全く又は実質的に溶解せず、当該蓄熱性物質を生成し得る液体と熱交換が可能な液体のうち当該熱交換の前後で液体であるものをいう。蓄熱性物質を生成し得る液体が水又は水溶液である場合における熱媒液体の典型例は、水に対する親和性が低い、即ち水に溶解し難いか又は水に混ざりにくい、いわゆる疎水性物質である（この場合の疎水性物質を油性液体という場合もある）。
【００１７】
疎水性物質の一例は、石油精製品であり、パラフィン油、ガソリン、ナフサ、灯油、ジェット燃料油、軽油、潤滑油ベースオイル、重油などが含まれる。疎水性物質の他の例はシリコン系オイルであり、ジメチルポリシロキサンにより構成されるシリコーンオイルが含まれる。疎水物質の更に他の例はフッ素系液体であり、炭化水素のフッ素化物、例えば炭化水素の全ての水素をフッ素に置換した化合物があり、フッ素数５〜２０（特に６〜１２）の化合物が主成分であるものが含まれる。
【発明の効果】
【００１８】
本発明においては、互いに直接接触した第１の物質と第２の物質とが移動する過程で、両物質のうち少なくとも一方の移動方向が変更されるので、引き続き移動する両物質間の接触確率が高くなり、熱交換の機会が増加する。それ故、本発明によれば、両物質間の熱交換を促進させ、熱交換の効率をより高めることができる。
【００１９】
本発明においては、第１の物質と第２の物質とを第１の容器内で直接接触させ、そこである程度熱交換させた後、別の容器（第２の容器）内で両物質のうち少なくとも一方の移動方向を変更させても、単に第１の容器内で熱交換させた場合に比して、両物質間の熱交換を促進させ、熱交換の効率をより高めることができる（本発明の第２の形態）。
【００２０】
本発明において、第１の物質及び第２の物質のうち少なくとも一方の移動方向を変更させる手法に制限はなく、当該移動方向を障害物により変更させてもよい（本発明の第３の形態）。
【００２１】
第１の物質及び第２の物質の移動を障害物により遮れば、両物質のうち少なくとも一方は当該障害物に衝突した後又は衝突する前にその移動方向を変更する。その結果、両物質間の接触確率は増え、ひいては熱交換の効率がより高まる。また、この障害物を回転する部材を備えるものとしてもよい。この場合、当該部材の回転軸を、第１の物質及び第２の物質のうち少なくとも一方の移動方向を当該障害物により変更させる前の移動方向と非垂直に設定するとよい（本発明の第４の形態）。このようにすれば、当該部材の回転面が当該移動方向と平行にならないので、障害物による移動方向の変更を確実に起こすことができる。
【００２２】
本発明の好適な適用例は、第１の物質及び第２の物体のいずれもが液体の場合であり且つ一方の液体が他方の液体に実質的に溶解しない場合であり、特に、それぞれ、蓄熱性物質を生成し得る液体及び熱媒液体の場合である（本発明の第５の形態）。
【図面の簡単な説明】
【００２３】
【図１】本発明の基本原理の説明図である。
【図２】本発明の第１の実施形態に係る物質同士の直接接触による熱交換の効率を高める方法の説明図である。
【図３】本発明の第２の実施形態に係る物質同士の直接接触による熱交換の効率を高める方法の説明図である。
【図４】本発明の第３の実施形態に係る物質同士の直接接触による熱交換の効率を高める方法による効果の説明図である。
【発明を実施するための形態】
【００２４】
以下、本発明による物質同士の直接接触による熱交換の効率を高める方法を図面を参照して説明する。
【００２５】
＜本発明の基本原理＞
図１は、本発明の基本原理の説明図である。
【００２６】
第１の物質Ａ及び第２の物質Ｂの当初の移動方向をそれぞれＬＡ及びＬＢとし、第１の物質Ａ及び第２の物質Ｂをそれぞれを幾つかの部分に分けて、それぞれ、Ａ（ｉ）（ｉ＝１，２，３，・・・ｍ，ｍ＋１，・・・）とＢ（ｊ）（ｊ＝１，２，３，・・・ｎ，ｎ＋１，・・・）とし、それらの移動方向をＬＡ（ｉ）（ｉ＝１，２，３，・・・ｍ，ｍ＋１，・・・）とＬＢ（ｊ）（ｊ＝１，２，３，・・・ｎ，ｎ＋１，・・・）とする。また、第１の物質Ａの部分Ａ（ｋ）に対して、その移動方向を変更させる作用を及ぼす手段をＤ（ｋ）とする。この場合、ｋの集合Ｋはｉの集合Ｉの部分集合の関係にあるものとする。
【００２７】
いま、第１の物質Ａの任意のｍ番目の部分Ａ（ｍ）は、移動方向ＬＡに沿って移動する過程で、移動方向ＬＡ上の接触点Ｃ（ｐ）において、移動方向を変更させる手段Ｄ（ｍ）からの作用を受けたとする。すると、その作用により、部分Ａ（ｍ）の少なくとも一部の移動方向は当初の移動方向ＬＡから変更され、ＬＡとは異なる方向に沿って移動する。一方、第２の物質Ｂの任意のｎ番目の部分Ｂ（ｎ）は、移動方向ＬＢに沿って移動する過程で、移動方向ＬＢ上の接触点Ｃ（ｐ＋１）において、接触点Ｃ（ｐ）から移動してきた第１の物質（部分Ａ（ｍ）の少なくとも一部）と接触し、それにより部分Ｂ（ｎ）の少なくとも一部の移動方向は当初の移動方向ＬＢから変更され、ＬＢとは異なる方向に沿って移動する。そして、接触点Ｃ（ｐ）から移動してきた部分Ａ（ｍ）の少なくとも一部は、その移動方向が変更され、ＬＡ（ｍ）に沿って移動する。
【００２８】
引き続き、第１の物質Ａの任意の(ｍ＋１)番目の部分Ａ（ｍ＋１）は、移動方向ＬＡに沿って移動する過程で、移動方向ＬＡ上の接触点Ｃ（ｐ＋２）において、接触点Ｃ（ｐ＋１）から移動してきた第２の物質（部分Ｂ（ｎ）の少なくとも一部）と接触し、それにより部分Ａ（ｍ＋１）の少なくとも一部は、その移動方向が変更され、変更後の移動方向に沿って移動する。そして、部分Ｂ（ｎ） の少なくとも一部は、その移動方向が変更され、ＬＢ（ｎ）に沿って移動する。
【００２９】
一方、第２の物質Ｂの任意の(ｎ＋１)番目の部分Ｂ（ｎ＋１）は、移動方向ＬＢに沿って移動する過程で、移動方向ＬＢ上の接触点Ｃ（ｐ＋３）において、接触点Ｃ（ｐ＋２）から移動してきた第１の物質（部分Ａ（ｍ＋１）の少なくとも一部）と接触し、それにより部分Ｂ（ｎ＋１）の少なくとも一部の移動方向は変更され、ＬＢ（ｎ＋１）に沿って移動する。そして、接触点Ｃ（ｐ＋２）から移動してきた部分Ａ（ｍ＋１）の少なくとも一部は、その移動方向が変更され、ＬＡ（ｍ＋１）に沿って移動する。
【００３０】
こうして、当初ＬＡに沿って移動していた第１の物質Ａと、当初ＬＢに沿って移動していた第２の物質Ｂとは、第１の物質Ａの部分Ａ（ｋ）が手段Ｄ（ｋ）から移動方向を変更させる作用を受けることを契機として、両物質が接触する接触点Ｃ（ｘ）（ｘ＝１，２，３，・・・ｐ，ｐ＋１，・・・）が複数個発生する。このような接触点Ｃ（ｘ）は、部分Ａ（ｘ）が手段Ｄ（ｘ）から当該作用を受けなければ発生しなかったものである。そして、接触点Ｃ（ｘ）の増加は、両物質間の接触確率の増加、ひいては熱交換の機会の増加を意味している。
【００３１】
なお、第１の物質Ａ及び第２の物質Ｂのそれぞれの当初の移動方向ＬＡ及びＬＢは互いに平行であっても、非平行であってもよい。また、第１の物質Ａ全部の当初の移動方向が一律にＬＡである必要はなく、第１の物質Ａの一部の当初の移動方向がＬＡと異なる移動方向であってもよい。同様に、第２の物質Ｂ全部の当初の移動方向が一律にＬＢである必要はなく、第２の物質Ｂの一部の当初の移動方向がＬＢと異なる移動方向であってもよい。
【００３２】
いずれの場合であれ、第１の物質Ａと第２の物質Ｂとは、第１の物質Ａの部分Ａ（ｋ）が手段Ｄ（ｋ）から移動方向を変更させる作用を受けることを契機として、両物質が接触する接触点Ｃ（ｘ）が増加し、両物質間の接触確率の増加、ひいては熱交換の機会が増加する。
【００３３】
従って、本発明によれば、両物質間の熱交換を促進させ、熱交換の効率をより高めることができる。
【００３４】
また、本発明において、第１の物質Ａと第２の物質Ｂとを第１の容器内で直接接触させ、そこである程度熱交換させた後、前記第１の容器内で互いに混合した前記第１の物質Ａと前記第２の物質Ｂとを前記第１の容器内から送出させて別の容器（第２の容器）内に送入させ、第２の容器内で両物質のうち少なくとも一方の移動方向を変更させることにより、上記の基本原理のとおり、両物質間の接触確率を増加ひいては熱交換の機会を増加するため、単に第１の容器内で熱交換させた場合に比して、両物質間の熱交換を促進させ、熱交換の効率をより高めることができる。
【００３５】
＜第１の実施の形態＞
図２は、本発明の第１の実施の形態に係る物質同士の直接接触による熱交換の効率を高める方法の説明図である。
【００３６】
第１の物質Ａと第２の物質Ｂの混合物Ｍの当初の移動方向を障害物Ｄにより変更させると、両物質が接触する接触点Ｃ（ｘ）（ｘ＝１，２，３，・・・ｐ，ｐ＋１，・・・）を複数個発生させることができる。このような接触点Ｃ（ｘ）は、障害物Ｄにより混合物Ｍの移動方向が変更されなければ発生しなかったものである。そして、接触点Ｃ（ｘ）の増加は、両物質間の接触確率の増加、ひいては熱交換の機会の増加を意味している。
【００３７】
従って、本実施形態によれば、両物質間の熱交換を促進させ、熱交換の効率をより高めることができる。
【００３８】
なお、障害物Ｄについては、第１の物質Ａと第２の物質Ｂの混合物Ｍの当初の移動方向を変更させる作用を有するものである限り、その形状、大きさ、材質等に特に制限はなく、可動体であっても静止物であってもよい。
【００３９】
＜第２の実施の形態＞
図３は、本発明の第２の実施の形態に係る物質同士の直接接触による熱交換の効率を高める方法の説明図である。
【００４０】
この実施の形態において、第１の物質Ａと第２の物質Ｂの混合物Ｍの当初の移動方向を障害物Ｄにより変更させる。障害物Ｄは回転する部材Ｄｓであり、第１の物質Ａと第２の物質Ｂの混合物Ｍの当初の移動方向と障害物Ｄｓの回転軸Ｚとがなす角度Ｆは＋９０度でも−９０度でもなく、従って混合物Ｍの当初の移動方向と障害物Ｄｓの回転軸Ｚとは互いに非垂直（換言すれば、混合物Ｍの当初の移動方向と障害物Ｄｓの回転主面とが非平行）に設定されている。
【００４１】
ここで、回転する部材Ｄｓの「回転主面」とは、回転する部材Ｄｓを構成する面のうち当該回転する部材Ｄｓの回転軸Ｚに垂直な面をいう。
【００４２】
第１の物質Ａと第２の物質Ｂの混合物Ｍを障害物Ｄｓに向けて移動させ、混合物Ｍを障害物Ｄｓの回転主面と接触させると、当該回転主面か受ける力の作用により、混合物Ｍを回転する障害物Ｄｓの周りに飛散させることができ、これにより移動方向を変更させることができる。そして、このような混合物Ｍの移動方向の変更により、第１の物質Ａと第２の物質Ｂとが接触する接触点Ｃ（ｘ）（ｘ＝１，２，３，・・・ｐ，ｐ＋１，・・・）を複数個発生させることができる。このような接触点Ｃ（ｘ）は、障害物Ｄｓにより混合物Ｍの移動方向が変更されなければ発生しなかったものである。そして、接触点Ｃ（ｘ）の増加は、両物質間の接触確率の増加、ひいては熱交換の機会の増加を意味している。
【００４３】
従って、本実施形態によれば、両物質間の熱交換を促進させ、熱交換の効率をより高めることができる。  
なお、障害物Ｄｓの回転主面上又はその近傍において、混合物Ｍは当該回転主面から剪断力を受ける。するとこの剪断力の作用を受けた混合物Ｍの中で第１の物質Ａと第２の物質Ｂとの混合が進み、接触点Ｃ（ｘ）は更に増加する。それ故、この場合には、障害物Ｄが静止物である場合に比べて本発明の効果はより顕著になる。
【００４４】
＜第３の実施の形態＞
本発明の第３の実施の形態は、第２の実施の形態において、第１の物質Ａ及び第２の物質Ｂのいずれか一方を水和物を生成する薬剤の水溶液とし、他方を熱媒液体とした場合に相当する。水和物を生成する薬剤の水溶液を熱媒液体と直接接触させ、その際の熱交換により冷却すると、その中に当該水和物を生成させることができるケースがある。このようなケースの一例として、水和物を生成する薬剤の水溶液として、臭化テトラｎブチルアンモニウム塩（ＴＢＡＢ）の水溶液を用い、熱媒液体として、この水溶液よりも比重が小さく、当該水溶液に対する溶解性がないパラフィン油を用い、これらを直接接触させ、前者の水溶液中にＴＢＡＢをゲスト分子とする包接水和物を生成させる技術が知られている。
【００４５】
図４は、本発明の第３の実施形態に係る物質同士の直接接触による熱交換の効率を高める方法による効果の説明図である。
【００４６】
水和物を生成する薬剤の水溶液として、臭化テトラｎブチルアンモニウム塩（ＴＢＡＢ）の１７重量％水溶液を用い、熱媒液体としてドデカンを用い、第２の実施の形態で用いた回転する障害物Ｄｓに衝突させることにより混合物の当初の移動方向を変更させる機構に適用し、これらの直接接触による熱交換の程度を調べた。
【００４７】
１２℃のＴＢＡＢ水溶液と２℃のドデカンを、ＴＢＡＢ水溶液とドデカンの体積流量比を１：４に調整して供給し、両物質を直接接触させて回転する障害物Ｄｓに衝突させ、直接接触による熱交換を促進させた後に、ＴＢＡＢ水溶液とドデカンを分離し、それぞれの温度を速やかに測定して温度差を求め、熱交換の程度を求めた。
【００４８】
図４において、横軸は障害物Ｄｓの回転数（ｒｐｍ）を示し、縦軸は直接接触後の両物質の温度差を示している。直接接触した後の両物質間の温度差がより小さいと、両物質間で熱交換がより進んだことを意味する。また、両物質を混合させるための混合槽を設け、両物質を混合してから障害物Ｄｓに衝突させるまでの移動時間を調整するため、混合槽の容積を変更することで混合槽内滞留時間を変更し、移動時間を調整した。
【００４９】
図４中、線Ｇ１は、ＴＢＡＢ水溶液とドデカンとを互いに直接接触させることで混合させ、その混合後１秒未満の間に、つまり直接接触による熱交換があまり又は殆ど進んでいない間に障害物Ｄｓに向けて移動させた後、障害物Ｄｓの回転主面に接触させる場合の結果を示しており、線Ｇ２は、両物質を予め混合させた後１０秒程度かけて、つまり直接接触による熱交換をある程度進ませて、障害物Ｄｓに向けて移動させた後、障害物Ｄｓの回転主面に接触させる場合の結果を示している。
【００５０】
ＴＢＡＢ水溶液とドデカンの両物質を直接接触させ、互いに直接接触した両物質を移動させ、回転する障害物Ｄｓによりその移動の方向を変更させると、両物質間の熱交換が促進される。
【００５１】
図４に示すように、回転する障害物Ｄｓの回転数が大きいほど、熱交換後の両物質間の温度差が小さくなっており、即ち、熱交換の程度が大きくなっており、熱交換がよく促進されることが分かる。
【００５２】
また、両物質の直接接触による熱交換があまり又は殆ど進んでいない場合（線Ｇ１）や、両物質を予め混合し直接接触による熱交換をある程度進ませる場合（線Ｇ２）の双方において、回転する障害物Ｄｓにより両物質間の熱交換がよく促進され、回転する障害物Ｄｓの回転数が大きいほど、熱交換がよく促進されることが分かる。
【００５３】
それ故、本実施形態によれば、物質同士の直接接触による熱交換の効率をより高めることができる。
【００５４】
なお、ＴＢＡＢ水溶液とドデカンとを互いに直接接触させた後両物質の移動方向を障害物Ｄにより変更させる場合、水溶液中に生成したＴＢＡＢをゲスト分子とする水和物が障害物Ｄに付着して、障害物Ｄが有する両物質のうち少なくとも一方の移動方向を変更させる作用が低下するおそれがある。これに対して、障害物Ｄが回転する部材Ｄｓである場合には、生成した水和物が障害物Ｄｓに付着する前にそれを振り払うようにして周りに飛散させることができる。それ故、本発明の第２及び第３の各実施の形態には、当該両物質のうち少なくとも一方の移動方向を変更させる作用の低下を防止又は抑制することができるという格段の利点がある。
【符号の説明】
【００５５】
Ａ，Ａ（ｍ），Ａ（ｍ＋１）…第１の物質
Ｂ，Ｂ（ｎ），Ｂ（ｎ＋１）…第１の物質
Ｃ，Ｃ（ｐ），Ｃ（ｐ＋１），Ｃ（ｐ＋２），Ｃ（ｐ＋３），Ｃ（ｘ）…接触点
Ｄ，Ｄｓ…移動方向を変更させる手段
Ｆ…物質の当初の移動方向と回転軸との間の角度
ＬＡ，ＬＢ，ＬＡ（ｍ），ＬＡ（ｍ＋１），ＬＢ（ｎ），ＬＢ（ｎ＋１）…移動方向
Ｍ…第１の物質と第２の物質の混合物
Ｚ…回転軸。
【図１】
2013061130.tif 000003
【図２】
2013061130.tif 000004
【図３】
2013061130.tif 000005
【図４】
2013061130.tif 000006